(57)【特許請求の範囲】
【請求項１】
コンテナ本体（1）の開口端に装着されるケーシング（11）を備えた、コンテナ用冷凍装置であって、
上記ケーシング（11）が、上記コンテナ本体（1）の庫外側に位置する庫外ケーシング（12）と、該庫外ケーシング（12）に固定され且つ上記コンテナ本体（1）の庫内側に位置する庫内ケーシング（13）とを有し、
上記庫外ケーシング（12）は、該庫外ケーシング（12）の左右の縁部に、上記ケーシング（11）の上端部から下端部に亘って連続する柱部材（50）を有し、
上記庫内ケーシング（13）は、該庫内ケーシング（13）の左右の縁部に、上記ケーシング（11）の上端部から下端部に亘って連続する側板（41）を有し、
上記柱部材（50）と上記側板（41）とが固定され、
上記庫内ケーシング（13）は、左右の縁部の間で且つ上記ケーシング（11）の下側部分に、上記コンテナ本体（1）の庫内側へ膨出する膨出部（11a）を有し、
上記側板（41）は、上記庫内ケーシング（13）の膨出部（13a）の側面に位置する第１部分と、上記膨出部（13a）の上方に位置する第２部分とを有し、
上記第１部分と第２部分とが一体に構成されている
ことを特徴とするコンテナ用冷凍装置。
【請求項２】
請求項１において、
上記側板（41）は、上記コンテナ本体（1）の長手方向の幅寸法が上端から下端まで同じである
ことを特徴とするコンテナ用冷凍装置。
【請求項３】
請求項１または２において、
上記側板（41）の第１部分は、上記庫内ケーシング（13）の膨出部（13a）の側面と一体的に構成される
ことを特徴とするコンテナ用冷凍装置。
【請求項４】
請求項１から３の何れか１つにおいて、
上記庫内ケーシング（13）は、互いに組み合わされる複数の板金部品（41〜44）を備え、
上記側板（41）は、上記板金部品の一つである
ことを特徴とするコンテナ用冷凍装置。
【請求項５】
請求項１から４のいずれか１つにおいて、
上記庫外ケーシング（12）と上記庫内ケーシング（13）の両方が金属材料により形成され、
上記ケーシング（11）は、上記庫外ケーシング（12）と上記庫内ケーシング（13）の間に介在し且つ上記柱部材（50）及び上記側板（41）に固定される中間部材（60）を備え、
上記中間部材（60）は、上記柱部材（50）及び上記側板（41）よりも熱伝導率の低い樹脂材料により形成される
ことを特徴とするコンテナ用冷凍装置。
【請求項６】
コンテナ本体（1）の開口端に装着されるケーシング（11）を備えた、コンテナ用冷凍装置であって、
上記ケーシング（11）が、上記コンテナ本体（1）の庫外側に位置する庫外ケーシング（12）と、該庫外ケーシング（12）に固定され且つ上記コンテナ本体（1）の庫内側に位置する庫内ケーシング（13）とを有し、
上記庫外ケーシング（12）は、該庫外ケーシング（12）の左右の縁部に、上記ケーシング（11）の上端部から下端部に亘って連続する柱部材（50）を有し、
上記庫内ケーシング（13）は、該庫内ケーシング（13）の左右の縁部に、上記ケーシング（11）の上端部から下端部に亘って連続する側板（41）を有し、
上記柱部材（50）と上記側板（41）とが固定され、
上記庫外ケーシング（12）と上記庫内ケーシング（13）の両方が金属材料により形成され、
上記ケーシング（11）は、上記庫外ケーシング（12）と上記庫内ケーシング（13）の間に介在し且つ上記柱部材（50）及び上記側板（41）に固定される中間部材（60）を備え、
上記中間部材（60）は、上記柱部材（50）及び上記側板（41）よりも熱伝導率の低い樹脂材料により形成される
ことを特徴とするコンテナ用冷凍装置。
【請求項７】
請求項６において、
上記庫内ケーシング（13）は、左右の縁部の間で且つ上記ケーシング（11）の下側部分に、上記コンテナ本体（1）の庫内側へ膨出する膨出部（11a）を有する、
ことを特徴とするコンテナ用冷凍装置。
【請求項８】
請求項６において、
上記庫内ケーシング（13）は、左右の縁部の間で且つ上記ケーシング（11）の下側部分に、上記コンテナ本体（1）の庫内側へ膨出する膨出部（11a）を有し、
上記側板（41）の下側部分は、上記庫内ケーシング（13）の膨出部（13a）の側面と一体的に構成される
ことを特徴とするコンテナ用冷凍装置。
【請求項９】
請求項６において、
上記柱部材（50）と上記中間部材（60）、及び上記側板（41）と上記中間部材（60）をそれぞれ固定する、上下に間隔をあけて配置される複数の締結部材（70）を備える
ことを特徴とするコンテナ用冷凍装置。
【請求項１０】
請求項７または８において、
上記柱部材（50）と上記中間部材（60）、及び上記側板（41）と上記中間部材（60）をそれぞれ固定する、上下に間隔をあけて配置される複数の締結部材（70）を備える
ことを特徴とするコンテナ用冷凍装置。
【請求項１１】
請求項１０において、
上記膨出部（11a）の上方に配置される複数の上記締結部材（70）の間隔（D1）は、上記膨出部（11a）の下端から上端までの範囲内に配置される複数の上記締結部材（70）の間隔（D2）より狭い
ことを特徴とするコンテナ用冷凍装置。
【請求項１２】
請求項６から１１の何れか１つにおいて、
上記中間部材（60）は、上記庫内ケーシング（13）に留めるように構成された第１留め部（61）を有する
ことを特徴とするコンテナ用冷凍装置。
【請求項１３】
請求項１２において、
上記庫内ケーシング（13）は、上下方向に延びる板状縁部（49c）を備え、
上記第１留め部（61）は、上下方向に伸び、上記板状縁部（49c）に掛けられる断面Ｕ字状の鉤部（65）を有する
ことを特徴とするコンテナ用冷凍装置。
【請求項１４】
請求項６から１１の何れか１つにおいて、
上記中間部材（60）は、上記庫外ケーシング（12）に留めるように構成された第２留め部（62）を有する
ことを特徴とするコンテナ用冷凍装置。
【請求項１５】
請求項１４において、
上記庫外ケーシング（12）の上記柱部材（50）には、上下方向に延びる溝（53）が形成され、
上記第２留め部（62）は、上下方向に伸び、上記柱部材（50）の溝（53）にはまり込む突部（66）を有する
ことを特徴とするコンテナ用冷凍装置。
【請求項１６】
請求項１から１５の何れか１つにおいて、
上記庫内ケーシング（13）は、互いに組み合わされる複数の板金部品（41〜44）を備え、
上記側板（41）は、上記板金部品の一つであり、且つ上記板金部品（41〜44）のうちで最も厚さ寸法が大きい
ことを特徴とするコンテナ用冷凍装置。
【発明の詳細な説明】
【技術分野】
【０００１】
本開示は、コンテナ用冷凍装置に関するものである。
【背景技術】
【０００２】
従来、コンテナ用冷凍装置は、コンテナ本体の開口部を塞ぐように構成されたケーシングを備えている（例えば、特許文献１参照）。このケーシングは、コンテナ本体の庫外側に位置する庫外ケーシングと、庫外ケーシングの庫内側に装着されてコンテナ本体の庫内側に位置する庫内ケーシングとを有する。
【０００３】
ケーシングは、その下部が庫内側へ膨出する膨出部を有する。ケーシングは、膨出部の下端から上端の範囲に形成される側板を有する。ケーシングは、側板を膨出部から上方へ拡大する別部材の側板延長部を有する。
【先行技術文献】
【特許文献】
【０００４】
【特許文献１】特許第４２８１８２３号公報
【発明の概要】
【発明が解決しようとする課題】
【０００５】
ケーシングは、コンテナの輸送時には横揺れなどの外力を受ける。ケーシングの側板と側板延長部が別部材であるため、ケーシングは、外力を受けると、ねじれ変形するおそれがある。そのため、上記構成では、ケーシングを、ねじれ変形に耐える十分な強度を有する構成にするのが困難である。
【０００６】
本開示の目的は、コンテナ用冷凍装置のケーシングの強度を高めることである。
【課題を解決するための手段】
【０００７】
本開示の第１の態様は、
コンテナ本体（1）の開口端に装着されるケーシング（11）を備えた、コンテナ用冷凍装置を前提とする。
【０００８】
第１の態様のコンテナ用冷凍装置は、
上記ケーシング（11）が、上記コンテナ本体（1）の庫外側に位置する庫外ケーシング（12）と、該庫外ケーシング（12）に固定され且つ上記コンテナ本体（1）の庫内側に位置する庫内ケーシング（13）とを有し、
上記庫外ケーシング（12）は、該庫外ケーシング（12）の左右の縁部に、上記ケーシング（11）の上端部から下端部に亘って連続する柱部材（50）を有し、
上記庫内ケーシング（13）は、該庫内ケーシング（13）の左右の縁部に、上記ケーシング（11）の上端部から下端部に亘って連続する側板（41）を有し、
上記柱部材（50）と上記側板（41）とが固定され、
上記庫内ケーシング（13）は、左右の縁部の間で且つ上記ケーシング（11）の下側部分に、上記コンテナ本体（1）の庫内側へ膨出する膨出部（11a）を有し、
上記側板（41）は、上記庫内ケーシング（13）の膨出部（13a）の側面に位置する第１部分と、上記膨出部（13a）の上方に位置する第２部分とを有し、
上記第１部分と第２部分とが一体に構成されている
ことを特徴とする。
ことを特徴とする。
【０００９】
第１の態様では、ケーシング（11）の上端部から下端部に亘って連続するように庫外ケーシング（12）の左右の縁部に設けられた柱部材（50）と、ケーシング（11）の上端部から下端部に亘って連続するように庫内ケーシング（13）の左右の縁部に設けられた側板（41）とが固定される。この第１の態様では、側板（41）がケーシング（11）の上端部から下端部まで連続しているため、外力に対する強度が高く、ケーシング（11）のねじれ変形を抑えられる。
【００１０】
本開示の第２の態様は、
第１の態様において、
上記側板（41）は、上記コンテナ本体（1）の長手方向の幅寸法が上端から下端まで同じである
ことを特徴とする。
【００１１】
本開示の第３の態様は、
第１または第２の態様において、
上記側板（41）の第１部分は、上記庫内ケーシング（13）の膨出部（13a）の側面と一体的に形成される
ことを特徴とする。
【００１２】
第３の態様では、側板（41）をケーシング（11）の膨出部（11a）と一体的に形成することにより、庫内ケーシング（13）の側板（41）が膨出部（11a）の側面を兼ねる構成となる。このことにより、ケーシング（11）の構成を簡素化し、且つケーシング（11）の十分な強度も得ることができる。
【００１３】
本開示の第４の態様は、
第１から第３の態様の何れか１つにおいて、
上記庫内ケーシング（13）は、互いに組み合わされる複数の板金部品（41〜44）を備え、
上記側板（41）は、上記板金部品の一つである
ことを特徴とする。
【００１４】
本開示の第５の態様は、
第１から第４のいずれか１つの態様において、
上記庫外ケーシング（12）と上記庫内ケーシング（13）の両方が金属材料により形成され、
上記ケーシング（11）は、上記庫外ケーシング（12）と上記庫内ケーシング（13）の間に介在し且つ上記柱部材（50）及び上記側板（41）に固定される中間部材（60）を備え、
上記中間部材（60）は、上記柱部材（50）及び上記側板（41）よりも熱伝導率の低い樹脂材料により形成される
ことを特徴とする。
【００１５】
本開示の第６の態様は、
コンテナ本体（1）の開口端に装着されるケーシング（11）を備えた、コンテナ用冷凍装置であって、
上記ケーシング（11）が、上記コンテナ本体（1）の庫外側に位置する庫外ケーシング（12）と、該庫外ケーシング（12）に固定され且つ上記コンテナ本体（1）の庫内側に位置する庫内ケーシング（13）とを有し、
上記庫外ケーシング（12）は、該庫外ケーシング（12）の左右の縁部に、上記ケーシング（11）の上端部から下端部に亘って連続する柱部材（50）を有し、
上記庫内ケーシング（13）は、該庫内ケーシング（13）の左右の縁部に、上記ケーシング（11）の上端部から下端部に亘って連続する側板（41）を有し、
上記柱部材（50）と上記側板（41）とが固定され、
上記庫外ケーシング（12）と上記庫内ケーシング（13）の両方が金属材料により形成され、
上記ケーシング（11）は、上記庫外ケーシング（12）と上記庫内ケーシング（13）の間に介在し且つ上記柱部材（50）及び上記側板（41）に固定される中間部材（60）を備え、
上記中間部材（60）は、上記柱部材（50）及び上記側板（41）よりも熱伝導率の低い樹脂材料により形成される
ことを特徴とする。
【００１６】
第５，第６の態様では、庫外ケーシング（12）と庫内ケーシング（13）の間に、柱部材（50）及び側板（41）よりも熱伝導率の低い樹脂材料で形成した中間部材（60）を設けている。よって、庫外の熱が庫外ケーシング（12）から庫内ケーシング（13）に伝達され難い。その結果、例えば外気温度が３５℃程度の高温環境で庫内空間を約０℃に冷却するような場合に、庫外の熱が庫外ケーシング（12）から庫内ケーシング（13）に伝達されるのを抑制できる。
【００１７】
本開示の第７の態様は、
第６の態様において、
上記庫内ケーシング（13）は、左右の縁部の間で且つ上記ケーシング（11）の下側部分に、上記コンテナ本体（1）の庫内側へ膨出する膨出部（11a）を有する
ことを特徴とする。
【００１８】
第７の態様では、膨出部（11a）を有するケーシング（11）のねじれ変形を抑えられる。
【００１９】
本開示の第８の態様は、
第６の態様において、
上記庫内ケーシング（13）は、左右の縁部の間で且つ上記ケーシング（11）の下側部分に、上記コンテナ本体（1）の庫内側へ膨出する膨出部（11a）を有し、
上記側板（41）の下側部分は、上記庫内ケーシング（13）の膨出部（13a）の側面と一体的に構成される
ことを特徴とする。
【００２０】
第８の態様では、側板（41）をケーシング（11）の膨出部（11a）と一体的に形成することにより、庫内ケーシング（13）の側板（41）が膨出部（11a）の側面を兼ねる構成となる。このことにより、ケーシング（11）の構成を簡素化し、且つケーシング（11）の十分な強度も得ることができる。
【００２１】
本開示の第９の態様は、
第６の態様において、
上記柱部材（50）と上記中間部材（60）、及び上記側板（41）と上記中間部材（60）をそれぞれ固定する、上下に間隔をあけて配置される複数の締結部材（70）を備える
ことを特徴とする。
【００２２】
本開示の第１０の態様は、
第７または第８の態様において、
上記柱部材（50）と上記中間部材（60）、及び上記側板（41）と上記中間部材（60）をそれぞれ固定する、上下に間隔をあけて配置される複数の締結部材（70）を備える
ことを特徴とする。
【００２３】
第９，第１０の態様では、樹脂材料により形成される中間部材（60）を、リベットなどの締結部材（70）を用いて柱部材（50）及び中間部材（60）に強固に締結できる。
【００２４】
本開示の第１１の態様は、
第１０の態様において、
上記膨出部（11a）の上方に配置される複数の上記締結部材（70）の間隔（D1）は、上記膨出部（11a）の下端から上端までの範囲内に配置される複数の上記締結部材（70）の間隔（D2）より狭い
ことを特徴とする。
【００２５】
第１１の態様では、各締結部材（70）の間隔を、膨出部（11a）の上端から下端までの範囲、言い換えると膨出部（11a）が存在する範囲よりも、膨出部（11a）の上端より上方の膨出部（11a）が存在しない範囲を狭くしている。膨出部（11a）の上方は膨出部（11a）が存在しないために締結強度が弱くなるおそれがあるが、締結部材（70）の間隔を狭めることで締結強度を確保できる。
【００２６】
本開示の第１２の態様は、
第６から第１１の態様の何れか１つにおいて、
上記中間部材（60）は、上記庫内ケーシング（13）に留めるように構成された第１留め部（61）を有する
ことを特徴とする。
【００２７】
本開示の第１３の態様は、
第１２の態様において、
上記庫内ケーシング（13）は、上下方向に延びる板状縁部（49c）を備え、
上記第１留め部（61）は、上下方向に伸び、上記板状縁部（49c）に掛けられる断面Ｕ字状の鉤部（65）を有する
ことを特徴とする。
【００２８】
第１２，第１３の態様では、中間部材（60）は、締結部材（70）に加えて、第１留め部（61）も用いて庫内ケーシング（13）に留められる。リベットのような締結部材（70）を用いる場合は、樹脂製の中間部材（60）に締結部材（70）を通す貫通穴が形成されるため、中間部材（60）の貫通穴の周囲からひび割れが広がるおそれがある。これに対して、第９，第１０の態様では、留め部も力を受けるために、ひび割れの発生を抑えられる。特に、第１０の態様では、簡単な構成の第１留め部（61）により、中間部材（60）のひび割れを抑制できる。
【００２９】
本開示の第１４の態様は、
第６から第１１の態様の何れか１つにおいて、
上記中間部材（60）は、上記庫外ケーシング（12）に留めるように構成された第２留め部（62）を有する
ことを特徴とする。
【００３０】
本開示の第１５の態様は、
第１４に態様において、
上記庫外ケーシング（12）の上記柱部材（50）には、上下方向に延びる溝（53）が形成され、
上記第２留め部（62）は、上下方向に伸び、上記柱部材（50）の溝（53）にはまり込む突部（66）を有する
ことを特徴とする。
【００３１】
第１４，第１５の態様では、中間部材（60）は、締結部材（70）に加えて、第２留め部（62）も用いて庫外ケーシング（12）に留められる。リベットのような締結部材（70）を用いる場合は、樹脂製の中間部材（60）に締結部材（70）を通す貫通穴が形成されるため、中間部材（60）の貫通穴の周囲からひび割れが広がるおそれがある。これに対して、第１１，第１２の態様では、留め部も力を受けるため、ひび割れの発生を抑えられる。特に、第１２の態様では、簡単な構成の第２留め部（62）により、中間部材（60）のひび割れを抑制できる。
【００３２】
本開示の第１６の態様は、
第１から第１５の態様の何れか１つにおいて、
上記庫内ケーシング（13）は、互いに組み合わされる複数の板金部品（41〜44）を備え、
上記側板（41）は、上記板金部品の一つであり、且つ上記板金部品のうちで最も厚さ寸法が大きい
ことを特徴とする。
【００３３】
第１６の態様では、側板（41）がケーシング（11）の複数の板金部品（41〜44）のうちで最も厚さ寸法が大きい部品であり、側板（41）自体の剛性が高い。よって、ケーシング（11）の強度を十分に高められる。
【図面の簡単な説明】
【００３４】
【図１】図１は、実施形態に係るコンテナ用冷凍装置を庫外側から見た斜視図である。
【図２】図２は、図１のII−II線断面図である。
【図３】図３は、仕切板を取り外した状態のコンテナ用冷凍装置を庫内側からみた斜視図である。
【図４】図４は、冷媒回路の配管系統図である。
【図５】図５は、庫外ケーシングを庫内側から観た斜視図である。
【図６】図６は、庫外ケーシングを庫内ケーシングで覆った状態でケーシングを庫内側から観た斜視図である。
【図７】図７は、ケーシングを図３のVI−VI線で切断し、平面から観た断面図である。
【図８】図８は、図７と同じ断面におけるケーシングの斜視図である。
【図９】図９は、柱部材と側板との結合部の拡大断面図（図７のVIII部拡大図）である。
【図１０】図１０は、ケーシングの側面図である。
【発明を実施するための形態】
【００３５】
以下、本発明の実施形態を図面に基づいて詳細に説明する。以下の実施形態は、コンテナ用冷凍装置に関するものである。なお、以下の好ましい実施形態の説明は、本質的に例示に過ぎず、本発明、その適用物或いはその用途を制限することを意図するものではない。
【００３６】
図１及び図２に示す本実施形態のコンテナ用冷凍装置（10）は、海上輸送等に用いられるコンテナ本体（1）の貨物収容空間（S3）の冷蔵又は冷凍を行うものである。コンテナ本体（1）は、長手方向の端部が開口端になった箱状に形成されている。
【００３７】
コンテナ用冷凍装置（10）は、冷凍サイクルを利用してコンテナ本体（1）の庫内空間
（S2,S3）の空気を冷却する冷媒回路（20）を備えている（図４参照）。コンテナ本体（1）の庫内空間（S2,S3）は、例えば植物（図示せず）が箱詰めされた状態で収納される貨物収容空間（S3）と、後述する冷媒回路（20）の構成部品の一部が収納される庫内収納空間（S2）とを含んでいる。
【００３８】
〈コンテナ用冷凍装置の全体構造〉
コンテナ用冷凍装置（10）はケーシング（11）を有する。ケーシング（11）は、箱状のコンテナ本体（1）の上記開口端に取り付けられ、その開口端を塞ぐ。ケーシング（11）は、コンテナ本体（1）の庫外側に位置する庫外ケーシング（12）と、コンテナ本体（1）の庫内側に位置する庫内ケーシング（13）とを備える。庫外ケーシング（12）及び庫内ケーシング（13）は、例えば、例えばアルミニウム合金によって構成される。
【００３９】
庫外ケーシング（12）は、コンテナ本体（1）の開口端を塞ぐようにコンテナ本体（1）の開口の周縁部に取り付けられて固定される。庫外ケーシング（12）は、下部に、コンテナ本体（1）の庫内側へ膨出する第１膨出部（12a）を有する。
【００４０】
庫内ケーシング（13）は、庫外ケーシング（12）と対向して配置され、庫外ケーシング（12）に固定される。庫内ケーシング（13）は、下部に、庫外ケーシング（12）の下部に対応して庫内側へ膨出する第２膨出部（13a）を有する。図２に示すように、第２膨出部（13a）は第１膨出部（12a）を庫内側から覆う。庫内ケーシング（13）と庫外ケーシング（12）との間の空間には、断熱材（14）が充填される。
【００４１】
庫外ケーシング（12）と庫内ケーシング（13）を組み合わせた状態で、ケーシング（11）の下部には、第１膨出部（12a）と第２膨出部（13a）により、コンテナ本体（1）の庫内側に向かって膨出する膨出部（11a）が形成される。ケーシング（11）におけるコンテナ本体（1）の庫外側には、第１膨出部（12a）の内側に庫外収納空間（S1）が形成される。ケーシング（11）におけるコンテナ本体（1）の庫内側には、第２膨出部（13a）の上方に庫内収納空間（S2）が形成される。
【００４２】
ケーシング（11）には、メンテナンス時に開閉可能な開閉扉（16）が幅方向に並んで２つ設けられる。ケーシング（11）の庫外収納空間（S1）には、後述する庫外ファン（25）と隣接する位置に電装品ボックス（17）が配設される。
【００４３】
図２に示すように、上記ケーシング（11）の庫内側には、仕切板（18）が配設される。仕切板（18）は、略矩形状の板部材により構成され、ケーシング（11）の庫内側の面と空間を隔てて対向する。この仕切板（18）によって、コンテナ本体（1）の庫内収納空間（S2）と貨物収容空間（S3）とが区画される。図３に仮想線で示す仕切板（18）は、ケーシング（11）の側板（41）、中央ステー（43）、及び側部ステー（44）で支持される。
【００４４】
仕切板（18）の上端とコンテナ本体（1）内の天井面との間には吸込口（18a）が形成される。コンテナ本体（1）の貨物収容空間（S3）の空気は、吸込口（18a）を介して庫内収納空間（S2）に取り込まれる。仕切板（18）の下端には、庫内収納空間（S2）へ空気を吹き出す吹き出し口（18b）が形成される。
【００４５】
図４に示すように、コンテナ用冷凍装置（10）は、冷媒が循環して蒸気圧縮式の冷凍サイクルを行う冷媒回路（20）を備えている。冷媒回路（20）は、圧縮機（21）と、凝縮器（放熱器）（22）と、膨張弁（膨張機構）（23）と、蒸発器（24）とが、冷媒配管（28）によって順に接続された閉回路である。
【００４６】
図１及び図２に示すように、圧縮機（21）及び凝縮器（庫外熱交換器）（22）は、庫外収納空間（S1）に収納される。凝縮器（22）の上方には、庫外ファン（25）が配設される。庫外ファン（25）は、庫外ファンモータ（25a）に駆動されて回転し、コンテナ本体（1）の庫外の空気を庫外収納空間（S1）の内部へ誘引して凝縮器（22）へ送る。凝縮器（22）では、凝縮器（22）の内部の冷媒と庫外の空気とが熱交換する。
【００４７】
蒸発器（24）は、庫内収納空間（S2）に収納される。図３に示すように、庫内収納空間（S2）における蒸発器（24）の上方には、ケーシング（11）の幅方向に並んで２つの庫内ファン（26）が配設される。庫内ファン（26）は、庫内ファンモータ（26a）に駆動されて回転し、コンテナ本体（1）の庫内空気を吸込口（18a）から誘引して蒸発器（24）へ吹き出す。蒸発器（24）では、その内部を流れる冷媒と庫内空気とが熱交換する。庫内空気は、蒸発器（24）を通過する際に冷媒に放熱して冷却される。冷却された庫内空気は、吹出口（18b）からコンテナ本体（1）の貨物収容空間（S3）へ吹き出される。ケーシング（11）の側板（41）には、庫内に設けられる図示しない温度センサのケーブルを引き出すための開口（41a）が設けられる。
【００４８】
本実施形態のコンテナ用冷凍装置（10）は、コンテナ本体（1）の貨物収容空間（S3）に低酸素濃度の混合ガスを供給して庫内空間（S2,S3）との酸素濃度を調整するための混合ガス供給装置（30）を備える。混合ガス供給装置（30）はユニット化されており、図１において庫外収納空間（S1）の左下の角部に配置される。混合ガス供給装置（30）の右側には、圧縮機（21）及び圧縮機カバー（27）が配置される。
【００４９】
〈庫外ケーシングと庫内ケーシングの具体構造〉
ケーシング（11）の膨出部（11a）は、上述したように、庫外ケーシング（12）の第１膨出部（12a）と庫内ケーシング（13）の第２膨出部（13a）を含む。膨出部（11a）は、ケーシング（11）の左右の縁部の間で且つケーシングの下側部分に形成され、コンテナ本体（1）の庫内側へ膨出している。
【００５０】
庫外ケーシング（12）の第１膨出部（12a）は、図５に示すように、それぞれが板金部品である左右の第１側板（45）、第１背板（46）、第１上板（47）、及び第１底板（48）を有する。第１側板（45）、第１背板（46）、第１上板（47）、及び第１底板（48）で囲まれた空間が庫外収納空間（S1）である。
【００５１】
庫内ケーシング（13）の第２膨出部（13a）は、図６に示すように、それぞれが板金部品である左右の第２側板（41）、第２背板（42）、第２上板（43）、及び第２底板（44）を有する。第２上板（43）の上方に庫内収納空間（S2）が形成される。第２側板（41）はケーシング（11）の上端部から下端部まで連続する部材であり、庫内ケーシング（13）の第２膨出部（13a）の側面と一体的に形成されている。第２側板（41）は、さらに言うと、ケーシング（11）の膨出部（11a）の側面と一体的に形成されている。
【００５２】
第２側板（41）は、互いに組み合わされて庫内ケーシング（13）を構成する複数の板金部品（第２側板（41）、第２背板（42）、第２上板（43）、及び第２底板（44））のうち、最も厚さ寸法が大きい。
【００５３】
ケーシング（11）を図６のVII−VII線で切断して平面から観た断面図である図7と、同じ断面でケーシング（11）を切断した斜視図である図８に示すように、第１側板（45）と第２側板（41）は空間を隔てて対向する。第１背板（46）と第２背板（42）も、空間を隔てて対向する。また、図２から明らかなように、第１上板（47）と第２上板（43）、第１底板（48）と第２底板（44）、そして第１前板（49a）と第２前板（49b）も、それぞれ空間を隔てて対向する。以上の空間には、上記断熱材（14）が充填される。
【００５４】
庫外ケーシング（12）は、図５に示すように、その左右の縁部に、ケーシング（11）の上端部から下端部に亘って連続する柱部材（50）を有する。庫内ケーシング（13）は、図６に示すように、その左右の縁部に、ケーシング（11）の上端部から下端部に亘って連続する上記第２側板（41）を有する。この実施形態のケーシング（11）では、柱部材（50）と上記第２側板（41）とが互いに固定される。
【００５５】
本実施形態のコンテナ用冷凍装置（10）のケーシング（11）は、庫外ケーシング（12）と庫内ケーシング（13）の間に介在し、且つ柱部材（50）及び第２側板（41）に固定される中間部材（60）を有する。中間部材（60）は、それぞれが金属材料で形成された柱部材（50）及び第２側板（41）よりも熱伝導率が低い樹脂材料（例えばポリ塩化ビニル）で形成される。中間部材（60）は、ケーシング（11）の左右の側縁部、上縁部、及び下縁部において庫外ケーシング（12）と庫内ケーシング（13）の接触を抑制するように形成された四辺形の枠状の樹脂部材である。
【００５６】
柱部材（50）及び第２側板（41）と中間部材（60）との取り付け構造について図９を用いて説明する。図９は、図６のIX−IX線断面における取り付け構造の拡大図である。IX−IX線断面は、開閉扉（16）に対応して第１前板（49a）と第２前板（49b）に形成された開口（19）の高さ方向のほぼ中央における断面である。膨出部（11a）の上端より上方は、図示の断面構造である。膨出部（11a）の上端より下方は、後述するように断面構造が異なる。柱部材（50）は、アルミニウム合金の押し出し成形品であり、各筒状の柱本体（51）と、庫外ケーシング（12）に固定される板状の取付部（52）とが一体に形成され、断面が「Ｐ」字状である。
【００５７】
図９に示すように、中間部材（60）は、「＋」のような断面形状を有する。図の上側の１辺は、庫内ケーシング（13）に留めるように構成された第１留め部（61）を構成する。図の下側の１辺は、庫外ケーシング（12）に留めるように構成された第２留め部（62）を構成する。図の左側の１辺は、庫外ケーシング（12）と庫内ケーシング（13）との間で挟まれる断熱部（63）を構成する。図の右側の1辺は、ケーシング（11）をコンテナ本体（1）に装着するときのシール部（64）を構成する。
【００５８】
庫外ケーシング（12）の柱部材（50）と中間部材（60）、及び庫内ケーシング（13）の第２側板（41）と中間部材（60）は、それぞれ、締結部材である複数のリベット（70）で固定される。ケーシング（11）の側面図である図１０に示すように、複数のリベット（70）は上下に間隔をあけて配置される。膨出部（11a）の上方に配置されるリベット（70）同士の間隔（D1）は、膨出部（11a）の下端から上端までの範囲内に配置されるリベット（70）同士の間隔（D2）よりも狭い。
【００５９】
庫内ケーシング（13）は、第２前板（49b）の左右の縁部が折り返されることで形成された板状縁部（49c）を有する。板状縁部（49c）は庫内ケーシング（13）の上下方向に延びる。中間部材（60）の第１留め部（61）は、板状縁部（49c）に掛けられる断面Ｕ字状の鉤部（65）を有する。鉤部（65）は、庫内ケーシング（13）の上下方向に延びる。
【００６０】
中間部材（60）は、枠の左右の縁部となるケーシングの上下方向の全体、さらには上縁部及び下縁部を含めた枠の全体が同じ断面形状である。
【００６１】
一方、庫内ケーシング（13）の第２前板（49b）は、膨出部（11a）よりも上方にのみ設けられ、膨出部（11a）の上端より下方には設けられない。そのため、膨出部（11a）の上端より下方には板状縁部（49c）は存在しない。このように膨出部（11a）の上端より下方は板状縁部（49c）が存在しない点で、図９の断面とは構造が異なる。板状縁部（49c）が膨出部（11a）の上端より下方には存在しないため、第１留め部（61）は、膨出部（11a）よりも上方でのみ鉤部（65）が板状縁部（49a）を挟み付ける状態で第２側板（41）に留められ、膨出部（11a）の上端部より下方ではリベット（70）のみで第２側板（41）に留められる。
【００６２】
庫外ケーシング（12）の柱部材（50）には、庫外ケーシング（12）の左右縁部の外側の面に、柱本体（51）の上下方向へ延びる溝（53）が形成される。中間部材（60）の第２留め部（62）は、柱部材（50）の溝（53）にはまり込む突部（66）を有する。突部（66）は、庫外ケーシング（13）の上下方向に延びる。柱部材（50）はケーシング（11）の上下方向の全体に存在する。そのため、第２留め部（62）は、ケーシング（11）の上下方向の全体に亘って、リベット（70）と突部（66）とで柱部材（50）に留められる。
【００６３】
−運転動作−
この実施形態のコンテナ用冷凍装置（10）の運転時は、冷媒回路（20）の圧縮機（21）が起動され、冷媒回路（20）において冷凍サイクルの動作が行われる。冷媒は冷媒回路（20）を循環し、蒸発器（24）で庫内空気から吸熱して蒸発する一方、凝縮器（22）で庫外空気へ放熱して凝縮するサイクルを繰り返す。庫内空間（S2,S3）の空気は、庫内ファン（26）により貨物収容空間（S3）と庫内収納空間（S2）の間で循環し、蒸発器（24）を通過するときに冷媒に吸熱されて冷却される。
【００６４】
−実施形態１の効果−
本実施形態では、庫外ケーシング（12）が、その左右の縁部に、ケーシング（11）の上端部から下端部に亘って連続する柱部材（50）を有する。庫内ケーシング（13）は、庫内ケーシング（13）の左右の縁部に、ケーシング（11）の上端部から下端部に亘って連続する側板（41）を有する。そして、本実施形態では、柱部材（50）と側板（41）とが固定される。
【００６５】
ここで、従来のコンテナ用冷凍装置では、一般に庫内ケーシングが繊維強化プラスチックで形成されている。ケーシングの側板は、膨出部に対応する部分のみが庫内ケーシングと一体に形成され、膨出部よりも上方の部分には、上記側板とは別の板状の部材（側板延長部）が取り付けられている。このように、従来のコンテナ用冷凍装置は、膨出部の側板の上方に別部材の側板延長部が取り付けられているため、ケーシングの十分な強度を得ることが困難である。言い換えると、従来のコンテナ用冷凍装置のケーシングは、コンテナの輸送時などに作用する、ケーシングをねじれ変形させようとする外力に対する十分な剛性を持たせるのが困難である。
【００６６】
これに対して、本実施形態では、ケーシング（11）の上端部から下端部に亘って連続するように庫外ケーシング（12）の左右の縁部に設けられた柱部材（50）と、ケーシング（11）の上端部から下端部に亘って連続するように庫内ケーシング（13）の左右の縁部に設けられた第２側板（41）とが固定される構造を採用している。本実施形態では、第２側板（41）がケーシング（11）の上端部から下端部まで連続しているため、側板（41）と柱部材（50）がともに外力に対抗する。言い換えると、従来の構造では強度部材として機能していない側板を、本実施形態では、ケーシングの上端から下端まで連続する部材にすることにより、強度部材として用いている。そのため、本実施形態のコンテナ用冷凍装置（10）では、外力に対するケーシング（11）の強度を高くすることができ、ケーシング（11）のねじれ変形を抑えられる。
【００６７】
本実施形態では、第２側板（41）の下側部分が、庫内ケーシング（13）の第２膨出部（13a）の側面と一体的に形成されている。第２側板（41）の下側部分は、さらに言うと、ケーシング（11）の膨出部（11a）の側面と一体である。
【００６８】
このように、第２側板（41）をケーシング（11）の膨出部（11a）と一体的に形成することにより、庫内ケーシング（13）の第２側板（41）が膨出部（11a）の側面を兼ねる。このことにより、ケーシング（11）の構成を簡素化し、且つケーシング（11）の十分な強度も得ることができる。
【００６９】
本実施形態では、庫内ケーシング（13）は、互いに組み合わされる複数の板金部品（41〜44）を備える。第２側板（41）は、これらの板金部品（41〜44）の一つであり、且つこれらの板金部品（41〜44）のうちで最も厚さ寸法が大きい。
【００７０】
この構成によれば、第２側板（41）がケーシング（11）の複数の板金部品（41〜44）のうちで最も厚さ寸法が大きい品であるから、第２側板（41）自体が高い剛性を有する。よって、ケーシング（11）の強度を十分に高められる。また、庫内ケーシング（13）を板金部品の組み合わせ構造にすることにより、ＦＲＰ（繊維強化プラスチック）で庫内ケーシング（13）を形成する場合よりも低コスト化を図ることができる。
【００７１】
本実施形態では、庫外ケーシング（12）と庫内ケーシング（13）の両方が金属材料により形成される。ケーシング（11）は、庫外ケーシング（12）と庫内ケーシング（13）の間に介在し且つ柱部材（50）及び第２側板（41）に固定される中間部材（60）を備える。中間部材（60）は、柱部材（50）及び第２側板（41）よりも熱伝導率の低い樹脂材料により形成される。
【００７２】
この構成によれば、庫外ケーシング（12）と庫内ケーシング（13）の間に設けられた熱伝導率の低い中間部材（60）により、庫外の熱が庫外ケーシング（12）から庫内ケーシング（13）に伝達され難い。その結果、例えば外気温度が３５℃程度の高温環境で庫内空間を約０℃に冷却するような場合に、庫外の熱が庫外ケーシング（12）から庫内ケーシング（13）に伝達されるのを抑制できる。
【００７３】
上記構成によれば、庫外ケーシング（12）と上記庫内ケーシング（13）の両方が金属材料により形成され、高強度である。そのため、樹脂材料で形成される中間部材に負荷がかかるのを抑制できる。
【００７４】
本実施形態では、柱部材（50）と中間部材（60）、及び側板（41）と中間部材（60）を、上下に間隔をあけて配置される複数のリベット（70）で固定するようにしている。特に、膨出部（11a）の上方に配置される複数のリベット（70）の間隔を、膨出部（11a）の下端から上端までの範囲内に配置される複数のリベット（70）の間隔より狭くしている。
【００７５】
この構成によれば、樹脂材料により形成される中間部材（60）を、リベット（70）を用いて柱部材（50）及び中間部材（60）に強固に締結できる。また、各リベット（70）の間隔を、膨出部（11a）の上端から下端までの範囲、言い換えると膨出部（11a）が存在する範囲よりも、膨出部（11a）の上端よりも上方の、膨出部（11a）が存在しない範囲において狭くしている。膨出部（11a）の上方は膨出部（11a）が存在しないために締結強度が弱くなるおそれがあるが、間隔を狭めることで締結強度を確保できる。
【００７６】
本実施形態では、中間部材（60）が、庫内ケーシング（13）に留めるように構成された第１留め部（61）を有する。また、庫内ケーシング（13）は、上下方向に延びる板状縁部（49c）を備え、第１留め部（61）は、上下方向に伸び、上記板状縁部（49c）に掛けられる断面Ｕ字状の鉤部（65）を有する。
【００７７】
この構成では、中間部材（60）は、締結部材（70）とは別に、第１留め部（61）により庫内ケーシング（13）に留められる。リベット（70）を用いる場合は、樹脂製の中間部材（60）に締結部材（70）を通す貫通穴が形成されるため、中間部材（60）の貫通穴の周囲からひび割れ（クラック）が広がるおそれがある。これに対して、本実施形態では、第１留め部（61）も力を受けるために、ひび割れの発生を、簡単な構成の第１留め部（61）により抑えられる。
【００７８】
本実施形態では、中間部材（60）は、庫外ケーシング（12）に留めるように構成された第２留め部（62）を有する。また、庫外ケーシング（12）の柱部材（50）には、上下方向に延びる溝（53）が形成され、記第２留め部（62）は、上下方向に伸び、上記柱部材（50）の溝（53）にはまり込む突部（66）を有する。
【００７９】
本実施形態では、中間部材（60）は、締結部材（70）とは別に、第２留め部（62）により庫外ケーシング（12）に留められる。リベットのような締結部材（70）を用いる場合は、樹脂製の中間部材（60）に締結部材（70）を通す貫通穴が形成されるため、中間部材（60）の貫通穴の周囲からひび割れが広がるおそれがある。これに対して、本実施形態では、第２留め部（62）も力を受けるため、クラックの発生を、簡単な構成の第２留め部（62）により抑えられる。
【００８０】
以上のように、本実施形態によれば、樹脂製の中間部材（60）を柱部材（50）及び側板（42）にリベット（70）で固定するだけでなく、板状縁部（49c）に掛けられる断面Ｕ字状の鉤部（65）と、柱部材（50）の溝（53）にはまり込む突部（66）を設けることにより、中間部材の一部に負荷が集中するのを抑え、そのことにより、中間部材の損傷を抑えられる。
【００８１】
《その他の実施形態》
上記実施形態については、以下のような構成としてもよい。
【００８２】
上記実施形態では、庫内ケーシング（13）の第２側板（41）を膨出部（11a）の側面と一体に構成している。この第２側板（41）は、上下方向の全長のうち、膨出部（11a）に対応する下側の部分を膨出部（11a）の側面を構成する別部材と重ねて固定することで一体化する部材にしてもよい。
【００８３】
上記実施形態において、庫内ケーシング（13）の第２側板（41）を、庫内ケーシング（13）の複数の板金部材（41〜44）のうちで最も板厚が大きい板金部材にしているが、ケーシングの十分な強度が得られる限りは、第２側板（41）の厚さ寸法を各板金部材（41〜44）のうちで最も大きくしなくてもよい。
【００８４】
上記実施形態において、第１留め部（61）に設けている鉤部（65）の構成は、庫内ケーシング（13）の構成に応じて変更してもよい。第２留め部（62）に設けている突部（66）の構成は、庫外ケーシング（12）の構成に応じて変更してもよい。
【００８５】
以上、実施形態及び変形例を説明したが、特許請求の範囲の趣旨及び範囲から逸脱することなく、形態や詳細の多様な変更が可能なことが理解されるであろう。また、以上の実施形態及び変形例は、本開示の対象の機能を損なわない限り、適宜組み合わせたり、置換したりしてもよい。
【産業上の利用可能性】
【００８６】
以上説明したように、本開示は、コンテナ用冷凍装置について有用である。
【符号の説明】
【００８７】
1     コンテナ本体
10    コンテナ用冷凍装置
11    ケーシング
11a   膨出部
12    庫外ケーシング
13    庫内ケーシング
41    側板
49c   板状縁部
50    柱部材
53    溝
60    中間部材
61    第１留め部
62    第２留め部
65    鉤部
66    突部
70    リベット（締結部材）
【図１】
0006863427.tif 000002
【図２】
0006863427.tif 000003
【図３】
0006863427.tif 000004
【図４】
0006863427.tif 000005
【図５】
0006863427.tif 000006
【図６】
0006863427.tif 000007
【図７】
0006863427.tif 000008
【図８】
0006863427.tif 000009
【図９】
0006863427.tif 000010
【図１０】
0006863427.tif 000011